(57)【要約】【課題】排水中に含まれる不純物の濃度を知り得る洗車機を提供する。【解決手段】洗車機本体の制御装置を介して洗車操作を指示する操作パネルに、洗車時における排水中の不純物であるノルマルヘキサン抽出物質の濃度を表示する表示器を設けると共に、制御装置41に、操作パネルに設けられた複数種類の洗車コースにそれぞれ対応して予め求められた排水中の不純物の濃度を記憶するデータ記憶部42、操作パネルにて選択された洗車コースに対応する不純物の濃度を読み出す濃度読出し部43、およびこの濃度読出し部で読み出された濃度を表示器50に出力するデータ出力部44を具備させたもの。【選択図】図４
2009107589.tif 000002
【特許請求の範囲】
【請求項１】
洗車機本体に、または洗車機本体とは別個に配置された操作部若しくはその近傍に、洗車時における排水中の不純物の濃度を表示する表示部を設けたことを特徴とする洗車機。
【請求項２】
洗車操作を指示する操作部を有する洗車機本体に、または洗車機本体とは別個に配置されて当該洗車機本体の制御装置を介して洗車操作を指示する操作部若しくはその近傍に、洗車時における排水中の不純物の濃度を表示する表示部を設けるとともに、
上記制御装置に、
上記操作部に設けられた複数種類の洗車コースにそれぞれ対応して予め求められた排水中の不純物の濃度を記憶するデータ記憶部、上記操作部にて選択された洗車コースに対応する不純物の濃度を読み出す濃度読出し部、およびこの濃度読出し部で読み出された濃度を表示部に出力するデータ出力部を具備させたことを特徴とする洗車機。
【請求項３】
洗車操作を指示する操作部を有する洗車機本体に、または洗車機本体とは別個に配置されて当該洗車機本体の制御装置を介して洗車操作を指示する操作部若しくはその近傍に、洗車時における排水中の不純物の濃度を表示する表示部を設けるとともに、
上記制御装置に、
上記操作部に設けられた複数種類の洗車コースに応じて、使用する水量、使用する洗剤・撥水コート剤・ワックスなどの各液剤量、およびこれら各液剤に含まれている単位容積当たりの不純物の量が記憶されたデータ記憶部と、
洗車コースが選択された際に、上記データ記憶部から当該洗車コースに係る水量・液剤量および不純物の量を読み出すとともに排水中の不純物の濃度を演算する濃度演算部と、この濃度演算部で求められた濃度を表示部に出力するデータ出力部とを具備させたことを特徴とする洗車機。
【請求項４】
データ記憶部に記憶された各洗車コースにて使用される各液剤量および単位容積当たりの不純物の量を変更し得るデータ変更部を具備させたことを特徴とする請求項３に記載の洗車機。
【請求項５】
不純物がノルマルヘキサン抽出物質であることを特徴とする請求項１乃至４のいずれか一項に記載の洗車機。
【発明の詳細な説明】
【技術分野】
【０００１】
本発明は、車両を洗浄する洗車機に関するものである。
【背景技術】
【０００２】
洗車機にて車両を洗車する場合、複数種類の洗車コースが設けられており、例えばシャンプー洗車コース、ワックス洗車コース、撥水コート洗車コースなどが設けられている。そして、シャンプー洗車コースでは水と洗剤が用いられ、ワックス洗車コースでは水・洗剤に加えてワックスが用いられ、撥水コート洗車コースでは水・洗剤・ワックスに加えて撥水コート剤が用いられている（例えば、特許文献１参照）。
【０００３】
ところで、洗車機においては、多量の排水が発生することになるが、この排水中には、当然に、洗剤・ワックス・撥水コート剤などの液剤が含まれており、しかも、これら液剤中には、不純物としてノルマルヘキサン抽出物質（鉱物油類）が含まれており、最近、環境汚染の防止の面から、排水中の不純物の濃度に規制が掛けられている。
【特許文献１】特開２００４−２２４０６３
【発明の開示】
【発明が解決しようとする課題】
【０００４】
しかし、洗車機を利用する利用者は、洗車時における排水中に含まれるノルマルヘキサン抽出物質などの鉱油系不純物の濃度がどの程度であるのかについては、全く意識することはなく、また従業員についても、殆ど同様の状態であった。
【０００５】
このような状況下で、洗車時における排水中に含まれている不純物の濃度がどの程度であるのかを知ってもらい、多くの人が環境汚染について関心を持つことが望まれている。
そこで、本発明は、排水中に含まれる不純物の濃度を知り得る洗車機を提供することを目的とする。
【課題を解決するための手段】
【０００６】
上記課題を解決するため、本発明の請求項１に係る洗車機は、洗車機本体に、または洗車機本体とは別個に配置された操作部若しくはその近傍に、洗車時における排水中の鉱油系不純物の濃度を表示する表示部を設けたものである。
【０００７】
また、請求項２に係る洗車機は、洗車操作を指示する操作部を有する洗車機本体に、または洗車機本体とは別個に配置されて当該洗車機本体の制御装置を介して洗車操作を指示する操作部若しくはその近傍に、洗車時における排水中の鉱油系不純物の濃度を表示する表示部を設けるとともに、
上記制御装置に、
上記操作部に設けられた複数種類の洗車コースにそれぞれ対応して予め求められた排水中の鉱油系不純物の濃度を記憶するデータ記憶部、上記操作部にて選択された洗車コースに対応する鉱油系不純物の濃度を読み出す濃度読出し部、およびこの濃度読出し部で読み出された濃度を表示部に出力するデータ出力部を具備させたものである。
【０００８】
また、請求項３に係る洗車機は、洗車操作を指示する操作部を有する洗車機本体に、または洗車機本体とは別個に配置されて当該洗車機本体の制御装置を介して洗車操作を指示する操作部若しくはその近傍に、洗車時における排水中の鉱油系不純物の濃度を表示する表示部を設けるとともに、
上記制御装置に、
上記操作部に設けられた複数種類の洗車コースに応じて、使用する水量、使用する洗剤・撥水コート剤・ワックスなどの各液剤量、およびこれら各液剤に含まれている単位容積当たりの鉱油系不純物の量が記憶されたデータ記憶部と、
洗車コースが選択された際に、上記データ記憶部から水量・液剤量および鉱油系不純物の量を読み出すとともに排水中の鉱油系不純物の濃度を演算する濃度演算部と、この濃度演算部で求められた濃度値を表示部に出力するデータ出力部とを具備させたものである。
【０００９】
また、請求項４に係る洗車機は、請求項３に記載の洗車機におけるデータ記憶部に記憶された各洗車コースにて使用される各液剤量および単位容積当たりの鉱油系不純物の量を変更し得るデータ変更部を具備させたものである。
【００１０】
さらに、請求項５に係る洗車機は、請求項１乃至４のいずれかに記載の洗車機における鉱油系不純物をノルマルヘキサン抽出物質としたものである。
【発明の効果】
【００１１】
上記請求項１〜３に係る洗車機によると、利用者は、自分の車両の洗車時に、その排水中に含まれる不純物の濃度を知ることができるので、環境汚染に対する関心を持たせることができ、同様に、従業員も排水中の濃度を知ることができるので、一層環境汚染に対して注意を払うようになる。
【００１２】
また、請求項４に係る洗車機によると、液剤の種類、その使用量が変更された場合でも、データ変更部により容易に対処することができる。
【発明を実施するための最良の形態】
【００１３】
以下、本発明の実施の形態に係る洗車機を図面に基づき説明する。
この洗車機は、例えば給油所（所謂、ガソリンスタンド）に設けられ、その洗車機本体が走行レール上を往復走行することにより、車両の洗車を行うものである。
【００１４】
以下、洗車機を概略的に説明する。
図１に示すように、洗車機本体１は、車両Ｃを跨ぐように門型に形成されるとともに、その水平部１ａの左右両端から垂下された脚柱部１ｂの下端には、床面（地面も含む）２に設けられた走行レール３上を走行し得る走行用車輪４が設けられている。
【００１５】
また、洗車機には、車両Ｃを洗浄するために洗浄水、洗剤、撥水コート剤、ワックスなどの洗浄用液体を噴射するための液体噴射装置１１が具備されるとともに、洗車機本体１には、車両Ｃの外面をブラッシングするためのサイドブラシ６、ロッカーブラシ７およびトップブラシ８が配設され、さらに洗車機本体１側には、図示しないが、昇降自在にされて車両Ｃの上面を乾燥させるトップノズル（図示せず）と、左右方向に移動自在にされて車両Ｃの両側面を乾燥させる左右一対のサイドノズル９とが設けられている。なお、これら乾燥用ノズルには、洗車機本体１に設けられたブロワ装置１０によりエアが供給されるように構成されている。
【００１６】
上記液体噴射装置１１は、図１および図２に示すように、大きく分けて、洗浄用液体のうち、洗浄水を噴射する洗浄水噴射ノズル群１２と、洗剤・撥水コート剤・ワックスなどの液剤を噴射する液剤噴射ノズル群１３と、これら各噴射ノズル群１２，１３に洗浄水および液剤の希釈水を供給する水供給配管１４と、この水供給配管１４に水を供給する水供給装置１５と、上記液剤噴射ノズル群１３に液剤を供給する液剤供給配管１６と、洗剤・撥水コート剤・ワックスなどの各液剤をそれぞれ貯溜する複数の液剤タンク１７とから構成されている。
【００１７】
上記洗浄水噴射ノズル群１２としては、第１および第２洗浄水噴射ノズル１２Ａ，１２Ｂがあり、また液剤噴射ノズル群１３としては、第１および第２洗剤噴射ノズル１３Ａ，１３Ｂと、撥水コート剤噴射ノズル１３Ｃと、ワックス噴射ノズル１３Ｄとがある。なお、これら各ノズルは、例えば第１洗浄水噴射ノズル１２Ａ、第１洗剤噴射ノズル１３Ａ、第２洗浄水噴射ノズル１２Ｂ、撥水コート剤噴射ノズル１３Ｃ、第２洗剤噴射ノズル１３Ｂおよびワックス噴射ノズル１３Ｄの順番でもって前部から後部に亘って配置されている。
【００１８】
なお、上記各噴射ノズル群１２，１３は、正面視形状が例えばアーチ状（弓形状）に形成された支持部材（図示しないが、配管そのものであってもよい）に、複数個ずつ取り付けられている。
【００１９】
上記水供給配管１４は、水供給装置１５側の給水管（後述する）に接続された主供給管（ヘッダともいえる）２１と、この主供給管２１から分岐されるとともに途中に噴射用電磁開閉弁２３を有して各噴射ノズル（またはアーチ）１２，１３に接続された副供給管（分岐管ともいえる）２２と、液剤噴射ノズル１３が設けられた副供給管２２の途中で且つ噴射用電磁開閉弁２３より下流側に設けられたインジェクタ２４とから構成されている。
【００２０】
また、上記水供給装置１５は、地上側に設けられた水タンク３１と、この水タンク３１内に配置された水ポンプ３２と、この水ポンプ３２から吐出される洗浄水を上記水供給配管１４の主供給管２１に供給する給水管３３とから構成されている。なお、この給水管３３の途中には、洗車機本体１が移動しても差し支えないように、可撓性のもの、つまりゴムホースが用いられている。
【００２１】
さらに、上記液剤供給配管１６としては、一端部が各副供給管２２にそれぞれ設けられたインジェクタ２４の吸引口に接続されるとともに他端側が各液剤タンク１７内に開口されて当該液剤タンク１７内の液剤を所定の副供給管２２に供給し得る（導き得る）複数の液剤供給管２５により構成されている。なお、この液剤供給管２５の途中に液剤を供給する液剤ポンプが設けられる場合がある。
【００２２】
そして、この洗車機には、洗車作業を自動的に行うための制御装置（例えば、洗車機本体に設けられており、勿論、洗車機本体以外に配置されたものであってもよい）が具備されている。
【００２３】
この制御装置は、洗車機本体１の脚柱部１ｂの前面に設けられた操作パネル５にて選択された洗車コースに応じて、洗車機本体１の走行、各噴射ノズル１２，１３からの洗浄水および液剤の噴射、ブラシによるブラッシング動作、乾燥ノズルによる乾燥動作を自動的に行うものであり、さらに本発明の要旨である洗車時における全洗浄用液体つまり排水中に含まれる鉱油系不純物であるノルマルヘキサン抽出物質（鉱物油類で、以下、単に不純物とも称する）の濃度を操作パネル５に設けられた表示部に表示する機能が具備されている。
【００２４】
ここで、操作パネル５を図３に基づき簡単に説明する。
この操作パネル５には、例えば操作部分５ａと表示部分５ｂとが設けられており、操作部分５ａには、洗車コースの選択ボタン、洗車開始ボタン、取消しボタンなどが設けられ、また表示部分５ｂには表示器（具体的には、液晶画面またはＬＥＤを用いたもの）５０が設けられている。
【００２５】
また、図４に示すように、制御装置４１には、洗車コース毎に予めノルマルヘキサン抽出物質の排水中の濃度値が求められた濃度テーブルを記憶するデータ記憶部４２と、操作パネル５にて利用者が選択した洗車コースを入力するとともに当該洗車コースに対応するノルマルヘキサン抽出物質の濃度値を濃度テーブルから読み出す濃度読出し部４３と、この濃度読出し部４３にて読み出された濃度値を操作パネル５に設けられた表示器５０に出力するデータ出力部（濃度出力部ともいえる）４４とが具備されている。
【００２６】
上記構成において、車両Ｃの洗車を行う場合、洗車機の利用者は操作パネル５にて、希望する洗車コースを選択し、洗車開始ボタンを押せばよい。例えば、ワックス洗車コースを選択すると、シャンプー洗車の後にワックス液が掛けられることになる。そして、このとき、濃度読出し部４３により、ワックス洗車コースに対応するノルマルヘキサン抽出物質つまり不純物の濃度値が濃度テーブルから読み出されるとともに、この濃度値が表示器５０に送られて表示される。したがって、利用者は、自分の車両の洗車時に、その排水中に含まれる不純物の濃度を知ることができる。すなわち、利用者に環境汚染に対する関心を持たせることができる。このとき、不純物に対する規制濃度値も併せて表示器５０に表示させるようにすれば、利用者は、一層、関心を持つようになる。勿論、従業員も、表示器５０の濃度値を見ることになり、環境汚染に注意を払うようになる。また、表示器５０を道路側から見やすい位置に設置したり、表示器５０を大きくすることにより、一般の人に対しても、環境汚染に対する関心を促すことができる。
【００２７】
なお、表示器５０に表示される濃度値は、洗車が開始された時点で表示されるため、洗車が終了するまでは、排水中の濃度を示していないことになるが、表示器５０に表示される濃度値は、洗車が終了した時点での排水中の濃度である。
【００２８】
ところで、上記実施の形態においては、不純物の濃度値は、予め、洗車コースに応じて求められているものとして説明したが、洗車の都度、演算により求めるようにしてもよい。
【００２９】
この場合、例えば、洗車コースが選択されると、当該洗車コースで使用される水量、洗剤量、撥水コート剤量およびワックス量、並びにこれら各液剤に含まれる１Ｌ中（１リットル当たり）のノルマルヘキサン抽出物質（不純物）の量（ｃｃ）に基づき、不純物の濃度値を演算する濃度演算部が具備される。
【００３０】
すなわち、下記の［表１］に示すようなデータテーブル（データの一例である）が具備されるとともに、濃度演算部においては、使用された液剤中の不純物の量を噴射された全水量で割ることにより不純物の濃度が求められる。
【００３１】
【表１】
2009107589.tif 000003
なお、濃度値を求める際に、不純物の量を全水量に液剤量を加算した総液体量で割るのが正しいが、全水量に比べて液剤量が非常に少ないため、不純物の量を全水量で割った値を用いている。また、この計算により得られた不純物の濃度値に対して補正係数（１より小さい値である）が掛けられている。これは、液剤が車両に噴射された際に、車両の表面に幾らかの液剤が付着し、排水に混じる液剤が減ることを考慮したものである。
【００３２】
以下に、各洗車コースでの不純物の濃度Ｐの求め方を示しておく。なお、下記の式中、ａは洗剤１Ｌ（リットル）に含まれる不純物の量、ｂはワックス１Ｌ（リットル）に含まれる不純物の量、ｃは撥水コート剤１Ｌ（リットル）に含まれる不純物の量を示し、Ａはシャンプー洗車コースにおける洗剤使用量、Ｂはワックス洗車コースにおけるワックス使用量、Ｃは撥水コート洗車コースにおける撥水コート剤使用量、ｒは各洗車コースでの補正係数、Ｗは全水量を示している。
（イ）シャンプー洗車コースの場合
Ｐ＝（ａ／1000）×Ａ×ｒ／Ｗ・・・（１）
（ロ）ワックス洗車コースの場合
Ｐ＝｛（ａ／1000）×Ａ＋（ｂ／1000）×Ｂ｝×ｒ／Ｗ・・・（２）
（ハ）撥水コート洗車コースの場合
Ｐ＝｛（ａ／1000）×Ａ＋（ｂ／1000）×Ｂ＋（ｃ／1000）×Ｃ｝×ｒ／Ｗ
・・・（３）
なお、［表１］に示された数値は、具体例を示している。
【００３３】
ここで、この場合の制御装置の概略構成について説明しておく。
図５に示すように、この制御装置６１は、［表１］のデータテーブルを記憶するデータ記憶部６２と、操作パネル５で選択された洗車コースに応じて、データ記憶部６２に記憶された［表１］のデータテーブルから所定の数値を読み出すデータ読出し部６３と、同じく選択された洗車コースに応じた演算式｛（１）乃至（３）式のいずれか｝にデータ読出し部６３からのデータを代入して不純物の濃度を演算する濃度演算部６４と、この濃度演算部６４で求められた濃度値を表示器５０に出力するデータ出力部（濃度出力部ともいえる）６５とから構成されている。
【００３４】
そして、濃度値を演算する際に、使用する液剤の種類または使用する洗浄用液体の量が変更された場合でも、不純物の濃度値の演算を行い得るように、各液剤中の不純物量（１Ｌ中の量）および各液体の使用量を変更し得るデータ変更部、例えば保守作業時に操作盤などに表示されるデータ変更用画面を具備させてもよい。このデータ変更用画面は、勿論、データ変更用のプログラムの実行により表示もされるもので、このデータ変更用画面からテンキーなどにより、データが更新されるものである。
【００３５】
このように、データ変更部を具備させることにより、液剤の種類、その使用量が変更された場合でも、容易に対処することができる。
さらに、上記実施の形態においては、洗車機本体を車両に対して走行させるものとして説明したが、固定された洗車機本体に対して車両を走行させるようにした洗車機にでも適用することができる。
【００３６】
また、上記実施の形態においては、表示器を操作パネルに設けるように説明したが、例えば操作パネルとは別個に設けるようにしてもよく、この場合には、表示器は操作パネルの近傍に配置される。
【００３７】
また、操作パネルが洗車機本体から離れた位置に設けられる場合、つまり、車両の洗車待機位置に操作パネルが設けられる場合には、表示器は、洗車機本体から離れた位置の操作パネルまたはこの近傍に配置される。
【００３８】
また、表示器については、利用者、従業員の他に、一般の通行人が見えるように設置すれば、環境汚染に対する宣伝効果が増すことになる。勿論、宣伝効果を増すという点では、洗車機本体の上部に表示器を設置すればよい。
【図面の簡単な説明】
【００３９】
【図１】本発明の実施の形態に係る洗車機の概略構成を示す全体側面図である。
【図２】同洗車機の液体噴射装置の配管系統図である。
【図３】同洗車機における操作パネルの正面図である。
【図４】同洗車機における制御装置の概略構成を示すブロック図である。
【図５】同洗車機の変形例に係る制御装置の概略構成を示すブロック図である。
【符号の説明】
【００４０】
１      洗車機本体
５      操作パネル
１１      液体噴射装置
１２      洗浄水噴射ノズル（群）
１３      液剤噴射ノズル（群）
４１      制御装置
４２      データ記憶部
４３      濃度読出し部
４４      データ出力部
５０      表示器
６１      制御装置
６２      データ記憶部
６３      データ読出し部
６４      濃度演算部
６５      データ出力部
【図１】
2009107589.tif 000004
【図２】
2009107589.tif 000005
【図３】
2009107589.tif 000006
【図４】
2009107589.tif 000007
【図５】
2009107589.tif 000008